(57)【要約】      （修正有）【課題】日常生活中等において、さりげなく且つおしゃれに筋肉鍛錬を行えるウエイトバンドを提供する。【解決手段】ウエイトバンド１は、ウエイト部材と、ウエイト部材が収納されるリング状の本体部１０と、本体部周縁の少なくとも一部に設けられる装飾部１１と、を備える。本体部には、本体部の内側開口を拡縮可能とする伸縮部材が収納され、ウエイト部材を収納する収納空間は、仕切り部によって複数の部屋に分割されていることが好ましい。【選択図】図１
0003194337.tif 000002
【実用新案登録請求の範囲】
【請求項１】
ウエイト部材と、
前記ウエイト部材が収納されるリング状の本体部と、
前記本体部の周縁の少なくとも一部に設けられる装飾部と、
を備えることを特徴とするウエイトバンド。
【請求項２】
前記本体部には、前記リング状の本体部の内側開口を拡縮可能とする伸縮部材が収納されていることを特徴とする請求項１に記載のウエイトバンド。
【請求項３】
前記本体部は、前記ウエイト部材を収納する収納空間を有し、
前記収納空間は、仕切り部によって複数の部屋に分割されていることを特徴とする請求項１又は２に記載のウエイトバンド。
【請求項４】
前記装飾部は、前記リング状の本体部と同一の材質で構成されていることを特徴とする請求項１から３のいずれかに記載のウエイトバンド。
【請求項５】
前記本体部は、２枚の布を重ね合わせて形成されていることを特徴とする請求項１から４のいずれかに記載のウエイトバンド。
【請求項６】
前記本体部には、前記ウエイト部材を外部に取り出し可能とする取り出し部が設けられていることを特徴とする請求項１から５のいずれかに記載のウエイトバンド。
【考案の詳細な説明】
【技術分野】
【０００１】
本考案は、例えば手首等の人体の一部に装着して使用されるウエイトバンドに関する。
【背景技術】
【０００２】
従来、スポーツトレーニング等を目的として使用されるリストバンドが知られている。特許文献１には、筋肉に過剰な負荷を与えることなく通常の競技練習の中で効率よく筋力を鍛えることができるリストバンドが開示されている。特許文献１に開示されるリストバンドは、二枚の生地が重なり合って構成される筒状体からなり、二枚の生地の間に軽量のウエイトが収納された構造になっている。
【先行技術文献】
【特許文献】
【０００３】
【特許文献１】実用新案登録第３０９９３２０号公報
【考案の概要】
【考案が解決しようとする課題】
【０００４】
ところで、筋肉の鍛錬を目的としたリストバンドは、一般的には、競技練習中に取り付けられることが多い。このために、従来のリストバンドの構造は、競技練習中に利用されることを念頭においた構造になっている。
【０００５】
しかしながら、リストバンドの使用者の中には、例えば日常生活をしながら、筋肉に軽い負荷を継続的に与えて、さりげなく筋肉を鍛えたいと考える者もいると考えられる。日常生活中の利用を想定すると、従来のリストバンドの構造は、見た目に味気なく、特に女性受けが良くないと考えられる。
【０００６】
以上の点に鑑みて、本考案の目的は、日常生活中等において、さりげなく且つおしゃれに筋肉鍛錬を行えるウエイトバンドを提供することである。
【課題を解決するための手段】
【０００７】
上記目的を達成するために本考案のウエイトバンドは、ウエイト部材と、前記ウエイト部材が収納されるリング状の本体部と、前記本体部の周縁の少なくとも一部に設けられる装飾部と、を備える構成（第１の構成）になっている。
【０００８】
本構成によれば、本体部がリング状になっているので、利用者は、その手首等にウエイトバンドを簡単に装着することができる。そして、本構成のウエイトバンドには、本体部に装飾部が設けられているために、例えば日常生活中等に当該ウエイトバンドが手首等に装着される場合であっても、筋肉鍛錬を行っていることを周囲の者にアピールし過ぎることを避けられる。このために、本構成のウエイトバンドの利用者は、さりげなく、また、おしゃれに筋肉鍛錬を行うことができる。
【０００９】
上記第１の構成のウエイトバンドにおいて、前記本体部には、前記リング状の本体部の内側開口を拡縮可能とする伸縮部材が収納されている構成（第２の構成）であるのが好ましい。本構成によれば、１つのウエイトバンドで、様々な体格の利用者に対応することができる。
【００１０】
上記第１又は第２の構成のウエイトバンドにおいて、前記本体部は、前記ウエイト部材を収納する収納空間を有し、前記収納空間は、仕切り部によって複数の部屋に分割されている構成（第３の構成）であるのが好ましい。本構成によれば、例えば、ボール状のウエイト部材を利用する場合等において、ウエイト部材の存在位置に偏りが発生することを避けられる。
【００１１】
上記第１から第３のいずれかの構成のウエイトバンドにおいて、前記装飾部は、前記リング状の本体部と同一の材質で構成されている構成（第４の構成）であるのが好ましい。本構成によれば、本体部と装飾部とを一体的に形成することができるために、装飾部を備えるウエイトバンドを効率良く、且つ、簡単に製造することができる。
【００１２】
上記第１から第４のいずれかの構成のウエイトバンドにおいて、前記本体部は、２枚の布を重ね合わせて形成されている構成（第５の構成）であってよい。本構成によれば、本体部が布を用いて形成されているために、様々な色を選択し易い等のメリットがある。また、本構成によれば、ウエイトバンドの柔軟性を確保し易く、快適な装着性や運搬性を得ることができる。
【００１３】
上記第１から第５のいずれかの構成のウエイトバンドにおいて、前記本体部には、前記ウエイト部材を外部に取り出し可能とする取り出し部が設けられている構成（第６の構成）であってよい。本構成によれば、ウエイトの調整が可能になる。また、本構成によれば、自動洗濯機を利用した洗濯が行い易い。
【考案の効果】
【００１４】
本考案によれば、日常生活中等において、さりげなく且つおしゃれに筋肉鍛錬を行えるウエイトバンドを提供できる。
【図面の簡単な説明】
【００１５】
【図１】本考案の実施形態に係るウエイトバンドの構成を示す概略平面図
【図２】本考案の実施形態に係るウエイトバンドの構成を概念的に示す正面図
【図３】本考案の実施形態に係るウエイトバンドの構成を概念的に示す側面図
【図４】図２のＡ−Ａ位置の概略断面図
【図５】本考案の実施形態に係るウエイトバンドが備えるリング状の本体部の構成を説明するための模式図
【図６】本考案の実施形態に係るウエイトバンドの本体部及び装飾部を構成する布の構成を示す概略平面図
【図７】本考案の実施形態に係るウエイトバンドの製造方法について説明するための模式図
【考案を実施するための形態】
【００１６】
以下、本考案の実施形態に係るウエイトバンドについて、図面を参照しながら詳細に説明する。なお、本考案の実施形態に係るウエイトバンドは、手首に巻いて使用するのに好適なバンド（リストバンド）である。
【００１７】
図１は、本考案の実施形態に係るウエイトバンド１の構成を示す概略平面図である。図２は、本考案の実施形態に係るウエイトバンド１の構成を概念的に示す正面図である。図３は、本考案の実施形態に係るウエイトバンド１の構成を概念的に示す側面図である。なお、図１においては、本実施形態のウエイトバンド１の構成を理解し易いように、ウエイトバンド１が装着された腕も示されている。
【００１８】
図１から図３に示すように、ウエイトバンド１は、手首に装着されるリング状の本体部１０と、リング状の本体部１０の周縁に設けられる装飾部１１と、を備えている。本実施形態においては、本体部１０と装飾部１１とは、同じ材質で構成されており、本体部１０と装飾部１１とは一体的に形成されている。本体部１０及び装飾部１１は、布を用いて構成されており、様々な色を選択できる。また、本体部１０や装飾部１１には、絵や模様が刺繍やプリント等によって描かれていてもよい。
【００１９】
なお、本実施形態においては、本体部１０と装飾部１１とが同じ材質である構成を採用しているが、これは一例であり、本体部１０と装飾部１１とは異なる材質で構成されても構わない。
【００２０】
図４は、図２のＡ−Ａ位置の概略断面図である。図２に示すように、本体部１０は中空構造を有しており、本体部１０は収納空間１０ａを備える。収納空間１０ａ内には、ウエイト部材１２と伸縮部材１３とが収納されている。
【００２１】
本実施形態においては、ウエイト部材１２として、例えば鉄球等の金属球が使用されている。ただし、これは一例にすぎず、ウエイト部材１２は、例えば弾性板や粉を詰めた袋体等であってもよい。伸縮部材１３は、リング状の本体部１０の内側開口１０１（図２参照）を拡縮可能（内側開口１０１の大きさを変更可能）とするために、収納空間１０ａ内に収納されている。伸縮部材１３は、リング状に形成されたゴム部材等の弾性部材で構成できる。
【００２２】
なお、本体部１０を構成する布のサイズは、伸縮部材１３の伸縮に対応できるように決められている。伸縮部材１３は、ウエイトバンド１が手首等に装着されてない場合に最も縮んだ状態になり、この状態において、本体部１０を構成する布は、多数のひだや皺を有する。ウエイトバンド１が手首等に装着されて伸縮部材１３が伸びることによって、前述のひだや皺の状態は適宜変わる。また、本体部１０と一体的に形成される装飾部１１もひだや皺を有する。これらのひだや皺もファッション性に関与する。図２〜図５においては、前述のひだや皺の記載が省略されていることを、ここで断っておく。
【００２３】
また、本実施形態のリング状の本体部１０は、図５に示すように、複数の仕切り部１４を有する。この仕切り部１４は、本体部１０の収納空間１０ａを複数の部屋に分けるものである。この仕切り部１４の存在により、鉄球等によって構成されるウエイト部材１２が、収納空間１０ａの偏った位置に集中することを避けられる。図５は、本考案の実施形態に係るウエイトバンド１が備えるリング状の本体部１０の構成を説明するための模式図である。
【００２４】
なお、伸縮部材１３は、仕切り部１４を貫通している。また本実施形態では仕切り部１４の数を４つとしているが、これは一例にすぎず、その数は適宜変更してよい。また、仕切り部１４で仕切られた各部屋に収納されるウエイト部材１２（鉄球等）の数（量）は、互いに同じでも良いし、異なっていてもよい。ただし、各部屋間におけるウエイト差は小さくするのが好ましい。
【００２５】
以上のように構成されるウエイトバンド１の製造方法の一例について、以下説明する。
【００２６】
まず、図６に示すような帯状の布（生地）１００が２枚用意される。布１００の２つの長辺は、例えばファッション性やデザイン性等を考慮して、単なる直線ではなく、波型に構成されている。なお、図６は、本考案の実施形態に係るウエイトバンド１の本体部１０及び装飾部１１を構成する布１００の構成を示す概略平面図である。図６中の破線は、２枚の布１００を結合する結合箇所を示すものであり、これらの詳細については、後の説明で明らかになる。
【００２７】
図７は、本考案の実施形態に係るウエイトバンド１の製造方法について説明するための模式図である。図７は、図６における矢印α方向に沿って布１００を見た場合を想定した図である。
【００２８】
図７（ａ）に示すように、まず、２枚の布１００が重ね合される。そして、図７（ｂ）に示すように、図６に示す結合線Ｘに沿って、第１の結合ａが行われる。第１の結合ａには、例えば縫合や圧着が利用されてよい。この第１の結合ａによって、本体部１０の収納空間１０ａが形成される。次に、図７（ｃ）に示すように、図６に示す結合線Ｙに沿って第２の結合ｂが行われる。第２の結合ａには、例えば圧着や縫合が利用されてよい。この第２の結合ｂによって、２枚の布が重なり合った装飾部１１が形成される。
【００２９】
なお、第２の結合ｂは行われなくてもよい。これにより、装飾部１１の構成を変更できる。また、装飾部１１が設けられる部分は、初めから２枚の布１００が重ならないようにして、１枚の布１００のみで装飾部１１を構成してもよい。
【００３０】
装飾部１１が形成されると、次に、図７（ｄ）に示すように、収納空間１０ａに伸縮部材１３（例えばゴムひも）が挿通される。なお、伸縮部材１３は、この時点ではリング状になっていない。伸縮部材１３を収納空間１０ａに挿通すると、次に、図７（ｅ）に示すように、収納空間１０ａに金属球で構成されるウエイト部材１２を入れる。
【００３１】
その後、伸縮部材１３の両端を合せてリング状にし、布１００の両端がくっつくように結合（例えば縫合等）する。これにより、ウエイト部材１２及び伸縮部材１３を収納したリング状の本体部１０が得られる。そして、図６に示す結合線Ｚに沿って第３の結合を行い、収納空間１０ａを複数の部屋に仕切る仕切り部１４を形成する。第３の結合には、例えば縫合や圧着が利用されてよい。なお、縫合等によって形成される仕切り部１４は、ボール状のウエイト部材１２の移動を阻止できればよいために、部屋間を完全に仕切るものでなくてよい。伸縮部材１３は、仕切り部１４を貫通している。
【００３２】
以上によって、本考案の実施形態に係るウエイトバンド１が得られる。ウエイトバンド１の利用者は、本体部１０の内側開口１０１（図２参照）に指先から手を入れ、手の大きさに合わせて適宜内側開口１０１を拡大しながら、ウエイトバンド１を手首に装着する。伸縮部材１３の作用によって、ウエイトバンド１は、手首位置で手首のサイズにあった内側開口１０１を有するようになり、手首に固定される。ウエイトバンド１は、装飾部１１を有するために、おしゃれな印象を与える。利用者は、日常生活中等にウエイトバンド１を装着することによって、さりげなく、また、おしゃれに筋肉鍛錬を行うことができる。
【００３３】
以上に示した実施形態は、本考案の例示にすぎない。以上に示した実施形態の構成は、本考案の技術的思想を超えない範囲で適宜変更されて構わない。
【００３４】
例えば、以上に示した実施形態では、本体部１０内に収納されたウエイト部材１２は、ウエイトバンド１の製造後、外部に取り出すことが出来ない構造とした。この構造は、本考案の一例にすぎない。ウエイト部材１２を、適宜外部に取り出し可能とする取り出し部を本体部１０に設ける構成としてもよい。取り出し部は、本体部１０の一部に設けられる開口と、当該開口を開閉する開閉手段と、によって構成できる。開閉手段は、例えば、ファスナーを含む構成でもよいし、ボタンやホック等の留め具を含む構成であってもよい。本体部１０にウエイト部材１２を取り出す取り出し部を設けることによって、ウエイトの量を調整可能になる、ウエイトバンド１を洗濯し易くなる等の効果が期待できる。
【００３５】
また、以上に示した実施形態の装飾部１１の構成は一例にすぎない。ファッション性等を考慮して、装飾部の形状や、装飾部を設ける位置が適宜変更されて構わない。以上に示した実施形態では、リング状の本体部１０の全周に沿って装飾部１１が設けられる構成としたが、装飾部１１は本体部１０の周縁の一部にだけ設けられる構成であってもよい。また、以上に示した実施形態では、本体部１０の周縁に沿って設けられる装飾部１１の数を２つとしたが、この数は１つでも良いし、３つ以上であっても構わない。
【００３６】
その他、以上においては、本考案のウエイトバンドが手首に適用される場合を示したが、これは一例にすぎず、本考案は、足首等、人体の他の部分に適用されるウエイトバンドに適用されてよいのは勿論である。ウエイトバンドは、スポーツトレーニングに限らず、例えばリハビリテーション等を目的として使用されて構わない。
【符号の説明】
【００３７】
１  ウエイトバンド
１０  本体部
１０ａ  収納空間
１１  装飾部
１２  ウエイト部材
１３  伸縮部材
１４  仕切り部
１００  布
１０１  内側開口
【図１】
0003194337.tif 000003
【図２】
0003194337.tif 000004
【図３】
0003194337.tif 000005
【図４】
0003194337.tif 000006
【図５】
0003194337.tif 000007
【図６】
0003194337.tif 000008
【図７】
0003194337.tif 000009